(57)【要約】【課題】  前身ごろを表地と裏地と表地および裏地をつなぐつなぎ用表地から形成していても、スライドファスナのテープ部の縫い目からの水の浸入を効果的に防止し得、前立て等を省略しても、水の浸入を抑制し得る衣服の提供。【解決手段】  つなぎ用表地の一側縁部は、スライドファスナのテープ部の裏側に外層を表側にし内層を裏側にして重ねられて、一側縁部の内層に前記縫着による縫い目を含んでその近傍をシールする防水用テープが貼着され、しかも左右の前身ごろの何れか一方におけるつなぎ用表地は、スライドファスナを閉じた際に縫着された部分からエレメントどうしの合わせ部の裏側に対応するように延長されるとともに裏地側に向けて折返されて他側縁部が裏地に縫着されている構成の衣服。【選択図】  図３
2008013861.tif 000002
【特許請求の範囲】
【請求項１】
左右の前身ごろが表地と裏地と表地および裏地をつなぐつなぎ用表地とを有して上下方向のスライドファスナによって開閉自在とされ、スライドファスナのテープ部は表地におけるスライドファスナの合わせ部側の裏側に重ねられ、つなぎ用表地における一側縁部はスライドファスナのテープ部の裏側に重ねられて表地のスライドファスナのエレメントどうしの合わせ部側、テープ部およびつなぎ用表地の一側縁部が縫着され、つなぎ用表地は外層と内層とを有して外層に水浸入防止のための加工が施され、つなぎ用表地はその一側縁部から表地の裏側に向けて折返されその他側縁部が裏地に縫着された衣服であって、
前記つなぎ用表地の一側縁部は、スライドファスナのテープ部の裏側に外層を表側にし内層を裏側にして重ねられて、該一側縁部の内層に前記縫着による縫い目を含んでその近傍をシールする防水用テープが貼着され、
しかも左右の前身ごろの何れか一方のつなぎ用表地は、スライドファスナを閉じた際に縫着された部分からエレメントどうしの合わせ部の裏側に対応するように延長されるとともに前記裏地側に向けて折返されて他側縁部が裏地に縫着されていることを特徴とする衣服。
【請求項２】
つなぎ用表地の延長した先端部が表側に折返されて、スライドファスナを閉じた際にスライドファスナのエレメントどうしの合わせ部の裏側に対応する位置に堰片が上下方向に形成され、折返した堰片の先端部は、スライドファスナのエレメントどうしの合わせ部よりも左右の前身ごろのうちの他方側に位置ずれしていることを特徴とする請求項１記載の衣服。
【請求項３】
表地およびつなぎ用表地は、外層が撥水加工を施された撥水生地とされ、内層は透湿性生地とされ、外層と内層との間に防水用テープに施した接着剤を内層から浸透させることで、接着剤が接着される貼着用層が設けられた積層構造であることを特徴とする請求項１または請求項２記載の衣服。
【請求項４】
表地およびつなぎ用表地は、外層が撥水加工を施された撥水生地とされ、内層は防水用テープに施した接着剤が接着されるフィルムとされた積層構造であることを特徴とする請求項１または請求項２記載の衣服。
【請求項５】
左右の前身ごろが表地と裏地と表地および裏地をつなぐつなぎ用表地とを有し、左右の前身ごろの合わせ部は、表地の裏側に上下方向のスライドファスナのテープ部が重ねられ、スライドファスナのテープ部の裏側につなぎ用表地における一側縁部が重ねられて縫着され、つなぎ用表地は撥水加工を施した外側の生地面と生地面の内側のフィルムから構成され、
つなぎ用表地の一側縁部はその生地面がテープ部に重ねられ、つなぎ用表地のフィルムに縫着による縫い目を覆うように防水用テープが貼着され、左右前身ごろのうち一方のつなぎ用表地における一側縁部が他方の前身ごろの合わせ部側に向けて延長され、延長された先端部が表側に折返されて、先端部がスライドファスナのエレメントどうしを噛合させた際に噛合部よりも他方の前身ごろ側に位置ずれする堰片が形成され、
堰片は前記裏地側に向けて折返されてつなぎ用生地の他側縁部が裏地に縫着されていることを特徴とする衣服。
【請求項６】
堰片を形成するつなぎよう生地のフィルムどうしが接着剤または接着用テープを介して接着されていることを特徴とする請求項５記載の衣服。
【発明の詳細な説明】
【技術分野】
【０００１】
本発明は、魚釣りの際に着用するレインスーツなどの衣服に関する。
【背景技術】
【０００２】
雨天時の魚釣りの際にレインスーツが着用されることがあり、この種の衣服は従来から種々提案されている（例えば、特許文献１参照）。この種の衣服では、左右の前身ごろどうしをスライドファスナによって開閉するよう構成されている場合が多く、この場合スライドファスナのテープ部が左右の前身ごろの合わせ部に縫着されている。このような衣服では、前身ごろを表地だけで形成したもの、前身ごろを表地と裏地と表地および裏地をつなぐつなぎ用表地から形成したものがある。
【特許文献１】特開２００４−４４００５号公報
【発明の開示】
【発明が解決しようとする課題】
【０００３】
レインスーツなどの衣服では、できるだけ水の浸入を抑えることが必要となる。しかしながら、左右の前身ごろにスライドファスナのテープ部を縫着すると、縫い目から水が浸入し易くなる。このため、縫い目から水の浸入を防止する手段が種々提案されている。一例として、スライドファスナのテープ部の縫い目に、前側すなわち人体側から防水用テープ（シームテープ）を貼着して、これによってスライドファスナのテープ部の縫い目から水が浸入するのを防止することが考えられる。
【０００４】
ところで、レインスーツなどの衣服においては、前身ごろの生地は水の浸入を抑える工夫がなされている。例えば上記のように前身ごろが表地のみから形成されている場合では防水用テープを表地の裏面側から貼着することで縫い目を覆って効果的に防水するようにしている。しかしながら、前身ごろを表地と裏地と表地および裏地をつなぐつなぎ用表地から形成したものでは、つなぎ用表地の表面が表側に位置するようになる。そしてつなぎ用表地の表面に水の浸入を抑制する撥水加工が施されている場合などは、防水用テープを貼着しにくく、貼着したとしてもすぐに剥がれてしまい、防水性を保持できにくかった。
【０００５】
そこで本発明は上記課題に鑑み、前身ごろを表地と裏地と表地および裏地をつなぐつなぎ用表地から形成していても、スライドファスナのテープ部の縫い目からの水の浸入を効果的に防止し得る衣服の提供を課題とする。
さらには、スライドファスナのエレメントどうしの合わせ部から水が浸入してくるのを防止するための前立て等を省略しても、水の浸入を抑制し得る衣服の提供を課題とする。
【課題を解決するための手段】
【０００６】
本発明の衣服は、左右の前身ごろが表地と裏地と表地および裏地をつなぐつなぎ用表地とを有して上下方向のスライドファスナによって開閉自在とされ、スライドファスナのテープ部は表地におけるスライドファスナの合わせ部側の裏側に重ねられ、つなぎ用表地における一側縁部はスライドファスナのテープ部の裏側に重ねられて表地のスライドファスナのエレメントどうしの合わせ部側、テープ部およびつなぎ用表地の一側縁部が縫着され、つなぎ用表地は外層と内層とを有して外層に水浸入防止のための加工が施され、つなぎ用表地はその一側縁部から表地の裏側に向けて折返されその他側縁部が裏地に縫着され、前記つなぎ用表地の一側縁部は、スライドファスナのテープ部の裏側に外層を表側にし内層を裏側にして重ねられて、該一側縁部の内層に前記縫着による縫い目を含んでその近傍をシールする防水用テープが貼着され、しかも左右の前身ごろの何れか一方におけるつなぎ用表地は、スライドファスナを閉じた際に縫着された部分からエレメントどうしの合わせ部の裏側に対応するように延長されるとともに前記裏地側に向けて折返されて他側縁部が裏地に縫着されていることを特徴としている。
【０００７】
上記構成の衣服では、つなぎ用表地において水浸入防止のための加工が施されていない内層に、縫い目を含んでその近傍をシールする防水用テープを貼着しているから、左右の前身ごろに表地、裏地、つなぎ用表地を有する衣服においてもこれらを縫着した縫い目から水が浸入するのを抑制し、しかもつなぎ用表地がスライドファスナを閉じた際にエレメントどうしの合わせ部の裏側に対応するように延長されているから、この延長した部分によって、エレメントどうしの合わせ部から浸入してきた水を止めることが可能となり、よってエレメントどうしの合わせ部から水が浸入してくるのを防止するための前立て等を省略することが可能となり、その分だけ衣服の構成が簡素化される。
【０００８】
本発明の衣服は、つなぎ用表地の延長した先端部が表側に折返されて、スライドファスナを閉じた際にスライドファスナのエレメントどうしの合わせ部の裏側に対応する位置に堰片が上下方向に形成され、折返した堰片の先端部は、スライドファスナのエレメントどうしの合わせ部よりも左右の前身ごろの他方側に位置ずれしていることを特徴としている。
【０００９】
上記構成の衣服によれば、堰片によってスライドファスナのエレメントどうしの合わせ部から浸入してきた水は、他方側の前身ごろ側にそれ以上浸入するのを防止し、水は堰片によって下方へ流れ、前身ごろの裏側へ浸入するのが抑制される。
【００１０】
本発明の衣服では、表地およびつなぎ用表地は、外層が撥水加工を施された撥水生地とされ、内層は透湿性生地とされ、外層と内層との間に防水用テープに施した接着剤を内層から浸透させることで、接着剤が接着される貼着用層が設けられた積層構造であることを特徴としている。
【００１１】
上記構成の衣服によれば、防水用テープの接着剤が内層を浸透して貼着用層に至ることにより、防水用テープを内層に確実に貼着することが可能となって、外層で水の撥水を行い、且つ縫い目からの水の浸入が確実に抑制される。
【００１２】
本発明の衣服では、表地およびつなぎ用表地は、外層が撥水加工を施された撥水生地とされ、内層は防水用テープに施した接着剤が接着されるフィルムとされた積層構造であることを特徴としている。
【００１３】
上記構成によれば、防水用テープの接着剤が内層に直接接着されるから、防水用テープの接着が容易で、外層で水の撥水を行い、且つ縫い目からの水の浸入が確実に抑制される。
【００１４】
本発明の衣服は、左右の前身ごろが表地と裏地と表地および裏地をつなぐつなぎ用表地とを有し、左右の前身ごろの合わせ部は、表地の裏側に上下方向のスライドファスナのテープ部が重ねられ、スライドファスナのテープ部の裏側につなぎ用表地における一側縁部が重ねられて縫着され、つなぎ用表地は撥水加工を施した外側の生地面と生地面の内側のフィルムから構成され、つなぎ用表地の一側縁部はその生地面がテープ部に重ねられ、つなぎ用表地のフィルムに縫着による縫い目を覆うように防水用テープが貼着され、左右前身ごろのうち一方のつなぎ用表地における一側縁部が他方の前身ごろの合わせ部側に向けて延長され、延長された先端部が表側に折返されて、先端部がスライドファスナのエレメントどうしを噛合させた際に噛合部よりも他方の前身ごろ側に位置ずれする堰片が形成され、堰片は前記裏地側に向けて折返されてつなぎ用生地の他側縁部が裏地に縫着されていることを特徴としている。
【００１５】
上記構成によれば、つなぎ用表地のフィルムに、縫い目を含んでその近傍をシールする防水用テープを直接貼着しているから、防水用テープの貼着が容易であり、しかも左右の前身ごろに表地、裏地、つなぎ用表地を有する衣服においてもこれらを縫着した縫い目から水が浸入するのを抑制し、さらにつなぎ用表地がスライドファスナを閉じた際にエレメントどうしの噛合部の裏側には堰片があることになるから、噛合部から浸入してきた水を止めることが可能となり、よってエレメントどうしの噛合部から水が浸入してくるのを防止するための前立て等を省略することが可能となり、その分だけ衣服の構成が簡素化される。
【００１６】
本発明の衣服では、堰片を形成するつなぎよう生地のフィルムどうしが接着剤または接着用テープを介して接着されていることを特徴としている。この構成によれば、堰片を生地を折返すことによって形成していたとしても、堰片が型崩れするのを防止して、浸入してきた水のさらなる浸入を防止することが可能となる。
【発明の効果】
【００１７】
本発明によれば、つなぎ用表地において水浸入防止のための加工が施されていない内層に、縫い目を含んでその近傍をシールする防水用テープを貼着しているから、左右の前身ごろに表地、裏地、つなぎ用表地を有する衣服においてもこれらを縫着した縫い目から水が浸入するのを防止でき、しかもつなぎ用表地がスライドファスナを閉じた際にエレメントどうしの合わせ部の裏側に対応するように延長されているから、この延長した部分によって、エレメントどうしの合わせ部から浸入してきた水を止めることが可能となり、よってエレメントどうしの合わせ部から水が浸入してくるのを防止するための前立て等を省略することが可能となり、その分だけ衣服の構成が簡素化され、衣服の着用者は衣服が簡素化された分だけ着用に際して違和感がなく、動き易くなる。
【発明を実施するための最良の形態】
【００１８】
以下、本発明の実施形態に係る衣服は、魚釣りの際に着用される衣服を、レインスーツの上衣を例に図面に基づいて説明する。図１は上衣の全体概略正面図、図２は図１におけるＡ−Ａ線断面図、図３はスライドファスナを閉じた状態のＡ−Ａ線拡大断面図、図４は防水用テープをつなぎ用表地に貼着した状態の断面図である。
【００１９】
図１に示すように、上衣１は左右の前身ごろ３Ａ，３Ｂからなる前身ごろ３と、後身ごろ４と、左右の袖６を有し、左右の前身ごろ３Ａ，３Ｂの合わせ部２０，２１にスライドファスナ７のテープ部１０，１１がそれぞれ縫着されている。なお、合わせ部２０，２１はスライドファスナ７を閉じた際、すなわちスライドファスナ７のエレメント７ｅ，７ｆどうしを噛合させた際、実際には接触するものではないが、ここでは、左右の前身ごろ３Ａ，３Ｂにおけるスライドファスナ７のテープ部１０，１１が縫着される部分の上下方向の領域を、合わせ部と称する。
【００２０】
上衣１は、ネック部（カラー）１Ａの高いハイネック状の構成を有する。そして該ネック部１Ａの上端部までスライドファスナ７が達していて、着用者Ｈの顎に対して外側にスライドファスナ７の上端部７ａ，７ｂが位置する。上衣１の外皮生地は防水性、防寒性に優れたものを用いており、ネック部１Ａが高いため、上衣１は防寒性に優れる。上衣１は、左前身ごろ３Ｂ（ネック部１Ａ）の上端部に上下方向に長く全体として略長方形の顎ガード１９を有している。該顎ガード１９は第一スライドファスナ７の裏側（着用者Ｈの身側）に位置し、左端部において左前身ごろ３Ｂの内面に縫着され、その縫着による取付け部を支点として左右に回動可能となっている。顎ガード１９の右端部上部１９ａは斜め（Ｃ面取り状）に切欠かれている。
【００２１】
スライドファスナ７は、上衣１の左右幅方向中心に設けられて、それぞれのテープ部１０，１１を上衣１の左右幅方向中心に上下方向（丈方向）に沿うよう縫着することで左右合わせ部２０，２０に設けられている。第一スライドファスナ７の開閉操作は引手７ｃを把持してスライダ７ｄを上下にスライドさせることで行う。
【００２２】
図２および図３に示すように、前身ごろ３（後身ごろ４も同様）は、透湿性生地に撥水処理が施されてなる表地１４と、通気性の良好な裏地１５を備えている。
【００２３】
表地１４は前記撥水処理が施された外層としての外生地１６と、内層としての透湿性生地からなる内生地１７と外生地１６および内生地１７の間のメンブレン１８（フィルム）との積層構造を有する（図４参照）。
【００２４】
合わせ部２０，２１における表地１４と裏地１５とは、表地１４と同一の生地によって形成されたつなぎ用表地１２，１３によってつながれている。なお、つなぎ用表地１２，１３は、表地１４の合わせ部２０，２１と裏地１５とを渡すようにつなぐ生地であり、表地１４と同一のものを用いているため、ここではつなぎ用表地と称している。
【００２５】
ここで、左右の前身ごろ３，４の合わせ部２０，２１の構造にについてさらに詳しく説明する。左右何れの前身ごろ３，４にも同様に、合わせ部２０，２１は裏側（人体側）から順につなぎ用表地１２，１３、スライドファスナ７のテープ部１０，１１、表地１４の順に重ねて縫着されることで一体化されている。一方の合わせ部２０の表地１４の合わせ部側縁部２２は、上衣１の左右方向内側で表側から裏側に折返されて一方のスライドファスナ７のテープ部１０縫着される。
一方の合わせ部２０のつなぎ用表地１２の合わせ部側縁部２３（一側縁部に相当する）は、スライドファスナ７のテープ部１０の裏側で重ねて縫着される縫着片２４と、縫着片２４から裏側に折返されて他側縁部２９が裏地１５に縫着される被覆部２６とを有している。縫着片２４はテープ部１０側（表側）が撥水処理を施された外生地１６となり前側が内生地１７となるようテープ部１０に重ねられている。
【００２６】
縫着片２４と被覆部２６との連続部となる折返し端縁２３ａは、スライドファスナ７のエレメント７ｅの裏側にほぼ対応する位置にある。この構成により、テープ部１０と縫着片２４との間に、ある程度の左右方向幅を有する隙間３２ができるようになっている。
【００２７】
縫着片２４の裏側、すなわち内生地１７に縫い目３３を中心としてその左右側近傍を含む縫着部３５に沿ってこれを覆うように、防水用テープ（シームテープ）３７が、ヒートシールによって貼着されている。さらに、縫着片２４と被覆部２６とは接着剤３０あるいは接着用テープ（ホット・メルト）によって接着されている。被覆部２６の他側縁部２９である裏地側端部は、裏地１５に縫着されている。
【００２８】
防水用テープ３７の貼着構造について図４を参照して説明すると、所定の左右幅を有する防水用テープ３７を、縫い目３３を中心として防水用テープ３７の接着剤３７ａを内生地１７に接触させ、防水用テープ３７を外生地１６側に加圧しつつ加熱することで、接着剤３７ａが内生地１７から浸透してメンブレン１８に至り、接着剤３７ａがメンブレン１８と一体化することで、防水用テープ３７が縫着片２４の裏側（内生地１７）に縫い目３３を覆うようにして止水部分を形成しているものである。
【００２９】
他方の合わせ部２１のつなぎ用表地１３の合わせ部側縁部２３は、スライドファスナ７のテープ部１１の裏側に、撥水加工が施された外生地１６における外側の生地面が重ねて縫着される縫着片２５と、縫着片２５から折返されて裏地１５に縫着される被覆部２７と、生地を一方の合わせ部２１側に延長して形成した堰片４０とを有している。つなぎ用表地１３の合わせ部側縁部２３においては、内生地１７が裏側（外生地１６が表側）になるようテープ部１１に重ねられている。テープ部１１、縫着片２５は、縫い目３３を中心として回動自在であって、テープ部１１と縫着片２５との間に、前記縫着片２４と被覆部２６との連続部である折返し端縁２３ａが挿入可能となっている。
【００３０】
縫着片２５の裏側、すなわち縫着片２５の内生地１７に、縫い目３３を中心としてその左右側近傍を含む縫着部３６に沿ってこれを裏側から覆うように、防水用テープ（シームテープ）３８が、ヒートシールによって貼着されている。防水用テープ３７の貼着構造については、図４で説明した場合と同様であるので、その説明するを省略する。
【００３１】
堰片４０の構成は、縫着片２５の生地を一方の合わせ部２０側に延長して左右方向外側（他方の合わせ部２１側）かつ表側に一端折返した第一折返し生地片４０ａと、第一折返し生地片４０ａの左右方向外側の端縁４０ｂからさらに左右方向内側（一方の合わせ部２０側）に折返すことで形成した第二折返し生地片４０ｃとを備えており、さらに生地を縫着片２５の裏側へ延長させることで生地は前記被覆部２７とされている。第一折返し生地片４０ａと第二折返し生地片４０ｃとの間、すなわち生地の第一折返し生地片４０ａと第二折返し生地片４０ｃの裏側どうしは、接着剤３０あるいは接着用テープ（ホット・メルト）によって接着されている。このような堰片４０においては、縫着片２５、第一折返し生地片４０ａおよび第二折返し生地片４０ｃの左右方向内側が一体に縫着されている。これにより、縫い目３３ａを中心に堰片４０が回動可能となって、堰片４０の左右方向外側と縫着片２５との間の隙間４０ｄに、水が堰き止められる構成となっている。
【００３２】
つなぎ用表地１３の合わせ部側縁部２３においては、内生地１７が裏側（外生地１６が表側）になるようテープ部１１に重ねられているから、上記のような第一折返し生地片４０ａおよび第二折返し生地片４０ｃを有する堰片４０を形成した場合、被覆部２７においては、その裏側が外生地１６となっている。
【００３３】
堰片４０は、スライドファスナ７のエレメント７ｅ，７ｆを閉じた姿勢で、前記一方の合わせ部２０における被覆部２６の裏側に位置するものである。すなわち、堰片４０は、スライドファスナ７のエレメント７ｅ，７ｆを閉じた姿勢で、スライドファスナ７のエレメント７ｅ，７ｆに裏側に対応するものである。さらに具体的に、エレメント７ｅ，７ｆを閉じた状態では、堰片４０はその端縁４０ｂが、エレメント７ｅ，７ｆどうしの噛合部（合わせ部）Ｐと表裏方向で同位置となるか、端縁４０ｂが噛合部Ｐに対して一方の合わせ部２０側に左右距離δだけ位置ずれするように設定されている。
【００３４】
上記構成において、着用者Ｈが上衣１を着用してスライドファスナ７のエレメント７ｅ，７ｆを開いた状態からスライドファスナ７の引手７ｃを把持してスライダ７ｄを上方にスライドさせるようにして閉じると、堰片４０は被覆部２６の裏側に位置するようになる。上衣１の着用時が雨天であったり、上衣１の着用場所が釣場であったりすると、雨や波等、水が上衣１の前身ごろ３にかかる場合が頻繁に発生し、スライドファスナ７のエレメント７ｅ，７ｆの噛合部Ｐから水が浸入しやすいが、浸入した水は、先ず縫着部２４の撥水加工された生地で止められる。被覆部２６で止められなかった水が裏側に至ると、その水は堰片４０側に至ることになる。しかしながら、堰片４０の端縁４０ｂは、エレメント７ｅ，７ｆどうしの噛合部Ｐと表裏方向で同位置となるか、端縁４０ｂが隙間３２側に左右距離δだけ位置ずれするように設定されており、水が接触する面には撥水加工が施されているから、エレメント７ｅ，７ｆの噛合部Ｐから浸入した水は、堰片４０の隙間４０ｄに入って、堰片４０によって水が堰き止められ、堰き止められた水はそれ以上一方の合わせ部２０側に浸入しなくなる。そして堰き止められた水は、堰片４０の隙間４０ｄを伝って下方へ移動して上衣１から排出される。
【００３５】
さらに、堰片４０において、第一折返し生地片４０ａと第二折返し生地片４０ｃとの間、すなわち生地の第一折返し生地片４０ａと第二折返し生地片４０ｃの裏側どうしは、接着剤３０あるいは接着用テープによって接着されているから、堰片４０は型崩れしにくく、したがって単に生地の折返しによって堰片４０を形成した場合にくらべて、確実にしかも長期的に防水性を保持することが可能となっている。
【００３６】
さらに、表地１４の外生地１６には撥水加工が施されているからこの撥水加工により水の浸入を防止し、さらに合わせ部２０，２１における縫着部３５には、縫い目３３に沿ってこれを覆うように防水用テープ３７，３８がつなぎ用表地１２，１３の内生地１７から、つなぎ用表地１２，１３に強固に貼着されて縫い目３３を被覆しているから、縫い目３３から水が浸入したとしても、防水用テープ３７，３８によって上衣１の裏側まで水が浸入するのを防止することができる。
【００３７】
このように、スライドファスナ７のエレメント７ｅ，７ｆの噛合部Ｐから浸入した水を堰片４０によって堰き止め、縫い目３０から浸入した水を防水用テープ３７，３８によって止水するから、従来水の浸入のために上衣１に設けていた前立て等を省略することができる。しかもスライドファスナ７のエレメント７ｅ，７ｆを閉めるだけの上記のようにして水の浸入を抑制することができる構成としていることから、上衣１の装着が簡単であり、上衣１には前立て等がないことから、上衣１が軽量になるとともに前身ごろ３０の合わせ部２０，２１が分厚くならず、したがって着用感が良好であり、着用した状態での着用者Ｈの動作も楽になる。
【００３８】
なお、縫着片２４と被覆部２６とは接着剤３０によって接着されていることから貼着部分である縫着片２４と被覆部２６の端縁が離脱しにくい構造となっているから、縫着片２４と被覆部２６の形状が変化しにくく、したがって、縫着片２４と被覆部２６との連続部となる折返し端縁２３ａが、スライドファスナ７のエレメント７ｅの前側にほぼ対応する位置、あるいはさらに他方側に延長した位置にあったとしても、スライドファスナ７を閉じる際に縫着片２４、被覆部２６がスライドファスナ７のエレメント７ｅ，７ｆに噛込まれるという状態を効果的に回避することができる。
【００３９】
図５に別の実施形態を示す。この図に示した実施形態において、図１ないし図４の構成と異なる部分を説明する。この異なる部分は、堰片４０が二枚の別生地で形成されている点にある。但し、縫着片２５に第一折返し生地片４０ａに相当する部分を有することを共通として、第二折返し生地片４０ｃに相当する部分を第一折返し生地片４０ａとは別体の生地である連成生地５０として、連成生地５０を介して第一折返し生地片４０ａと被覆部２７とを一体化するよう縫着している。一体化するための手段として、第一折返し生地片４０ａを連成生地５０（第二折返し生地片４０ｃ）側に折返し、連成生地５０の左右方向両側を裏側に折返して、折返し部分をそれぞれ第一折返し生地片４０ａ（縫着片２５）、被覆部２７に縫着している。ここで連成生地５０は、表地１４と同一の生地を用いており、表側が外生地１６となるよう第一折返し生地片４０ａ、被覆部２７に縫着されている。
【００４０】
第一折返し生地片４０ａと連成生地５０の縫着部における端縁４０ｂの位置とエレメント７ｅ，７ｆどうしの噛合部（合わせ部）Ｐとの位置関係は、上記実施形態と同様である。また、他の構成は上記図１ないし図４で示した実施形態と同様であるから、同一の符号を付してその説明を省略する。この実施形態においても、堰片４０によって水の浸入を効果的に防止することができる。他の作用効果は、上記実施形態と同様であるので、その説明を省略する。
【００４１】
上記各実施形態では堰片４０を設けているが、単につなぎ用表地を、スライドファスナを閉じた際に縫着された部分からエレメントどうしの合わせ部の裏側に対応するように延長することで止水が可能であれば、堰片４０を設けることは必ずしも必要ではない。
【００４２】
上記各実施形態では、つなぎ用表地１３は、撥水処理が施された外層としての外生地１６と、内層としての内生地１７と外生地１６および内生地１７の間のメンブレン１８との積層構造を有するものを用いたが、これに限定されるものではなく、内生地１７を省略して外生地１６およびメンブレン１８とからなる積層構造の生地を用いることも可能である。この場合では、防水用テープ３７，３８をメンブレン１８に直接貼着することができるので、内生地１７を介して防水用テープ３７，３８を貼着する場合に比べて、その作業が楽になる。
【００４３】
さらに、表地１４はメンブレン１８を積層した構造とした生地とすることに限定されず、例えばメンブレン１８を積層することなく、透湿性の生地の表面に撥水加工を施したもののみから構成することも考えられる。
【図面の簡単な説明】
【００４４】
【図１】本発明の実施形態を示す上衣の全体概略正面図
【図２】同じく図１におけるＡ−Ａ線断面図
【図３】同じくスライドファスナを閉じた状態のＡ−Ａ線拡大断面図
【図４】防水用テープをつなぎ用表地に貼着した状態の断面図
【図５】別の実施形態を示しており図２に相当する線断面図
【符号の説明】
【００４５】
１…上衣、３Ａ，３Ｂ…左右の前身ごろ、７…スライドファスナ、７ｅ，７ｆ…エレメント、１０，１１…テープ部、１２，１３…つなぎ用表地、１４…表地、１５…裏地、１６…外生地、１７…内生地、１８…メンブレン、１９…顎ガード、２０，２１…合わせ部、２３ａ…折返し端縁、２４…縫着片、２６…被覆部、２７…被覆部、３３…縫い目、３５，３６…縫着部、３７…防水用テープ、３７ａ…接着剤、４０…堰片、４０ａ…第一折返し生地片、４０ｂ…端縁、４０ｃ…第二折返し生地片、Ｐ…噛合部（合わせ部）、δ…左右距離
【図１】
2008013861.tif 000003
【図２】
2008013861.tif 000004
【図３】
2008013861.tif 000005
【図４】
2008013861.tif 000006
【図５】
2008013861.tif 000007